(57)【要約】【課題】  ブロックの上面を流れる表面水に対して、ブロック連結部における排水性を向上させた水路用ブロックを提供する。【解決手段】  内部に長手方向にわたる水路３を有するブロック本体２の長手方向の一接続端面５に、パッキン材７を、水路３の上部又は上部の一部を除く周囲を囲んで配するとともに、その両方の端部７ａを外方に湾曲又は屈曲させてブロック本体２の両側壁４上部に夫々延設し、該一接続端面５にあって水路３の上部及び側壁４に延設せる少なくとも一方のパッキン材７の湾曲又は屈曲部７ｂ乃至端部７ａより上側、及び／又は他側接続端面５′にあって水路３の上部及び側壁４に延設せる少なくとも一方のパッキン材７の湾曲又は屈曲部７ｂ乃至端部７ａに相応する部分より上側に位置する接続端面５ａを、その残余の接続端面５ｂから凹陥した凹陥面６となす。【選択図】図１
2008163705.tif 000002
【特許請求の範囲】
【請求項１】
内部に長手方向にわたる水路（３）を有するブロック本体（２）の長手方向の一接続端面（５）に、パッキン材（７）が水路（３）の上部又は上部の一部を除く周囲を囲んで配されるとともに、その両方の端部（７ａ）が外方に湾曲又は屈曲されてブロック本体（２）の両側壁（４）上部に夫々延設され、該一接続端面（５）にあって水路（３）の上部及び側壁（４）に延設せる少なくとも一方のパッキン材（７）の湾曲又は屈曲部（７ｂ）乃至端部（７ａ）より上側、及び／又は他側接続端面（５′）にあって水路（３）の上部及び側壁（４）に延設せる少なくとも一方のパッキン材（７）の湾曲又は屈曲部（７ｂ）乃至端部（７ａ）に相応する部分より上側に位置する接続端面（５ａ）が、その残余の接続端面（５ｂ）から凹陥した凹陥面（６）となされたことを特徴とする水路用ブロック。
【請求項２】
一端がブロック本体（２）の側壁（４）近傍に位置して他端が水路（３）に連通する誘導溝（８）が、一接続端面（５）に少なくとも一方のパッキン材（７）の湾曲又は屈曲部（７ｂ）乃至端部（７ａ）より上側で該パッキン材（７）にほぼ沿って、及び／又は他側接続端面（５′）に少なくとも一方のパッキン材（７）の湾曲又は屈曲部（７ｂ）乃至端部（７ａ）に相応する部分より上側で該相応部にほぼ沿って、水路（３）側に向け斜降状に設けられた請求項１記載の水路用ブロック。
【請求項３】
内部に長手方向にわたる水路（３）を有するブロック本体（２）の長手方向の一接続端面（５）に、パッキン材（７）が水路（３）の上部又は上部の一部を除く周囲を囲んで配されるとともに、その両方の端部（７ａ）が外方に湾曲又は屈曲されてブロック本体（２）の両側壁（４）上部に夫々延設され、該一接続端面（５）にあって水路（３）の上部及び側壁（４）に延設せる少なくとも一方のパッキン材（７）の湾曲又は屈曲部（７ｂ）乃至端部（７ａ）より所定間隔をあけて上側、及び／又は他側接続端面（５′）にあって水路（３）の上部及び側壁（４）に延設せる少なくとも一方のパッキン材（７）の湾曲又は屈曲部（７ｂ）乃至端部（７ａ）に相応する部分より所定間隔をあけて上側に位置する接続端面（５ａ）が、その残余の接続端面（５ｂ）から凹陥した凹陥面（６）となされ、一端がブロック本体（２）の側壁（４）近傍に位置して他端が水路（３）に連通する誘導溝（８）が、一接続端面（５）に少なくとも一方のパッキン材（７）の湾曲又は屈曲部（７ｂ）乃至端部（７ａ）より上記所定間隔をあけた上側で該パッキン材（７）にほぼ沿って、及び／又は他側接続端面（５′）に少なくとも一方のパッキン材（７）の湾曲又は屈曲部（７ｂ）乃至端部（７ａ）に相応する部分より上記所定間隔をあけた上側で該相応部にほぼ沿って、水路（３）側に向け斜降状に設けられた水路用ブロック。
【発明の詳細な説明】
【技術分野】
【０００１】  本発明は、路面や広場等における雨水等、表面水を排水するために道路の縦、横断部等や公園、駐車場、宅地等の地表面に埋設施工される水路用ブロックに関するものである。
【背景技術】
【０００２】  従来、この種の水路用ブロックとして、例えば本出願人の先願に係る特開２００３−３２８４２４号公報に開示される如く、内部に長手方向に水路を有するブロック本体の長手方向の一接続端面に、パッキン材を水路の上部又は上部の一部を除く周囲を囲んで配するとともに、その両端部を外方に湾曲又は屈曲させてブロック本体の両側壁上部に延設してなる排水性舗装道路等に適した側溝用ブロックが知られている。
該側溝用ブロックは、長手方向に隣接する他の側溝用ブロックとの連結に際し、そのパッキン材を有する一接続端面とこれを有しない他側接続端面とを突き合わせて接続端面間に上記パッキン材を挟着するとともに、相連通するボルト孔にボルトを挿通して連結することにより、接続端面間でパッキン材が挟圧されて相連通する水路間の漏水防止が図られ、しかもパッキン材の介在によって接続端面間においてパッキン材の上側に流入用隙間が形成され、ブロック連結部における該流入用隙間からブロックの上面を流れる雨水等が水路内に導かれて排水されるようになされている。
【特許文献１】  特開２００３−３２８４２４号公報
【発明の開示】
【発明が解決しようとする課題】
【０００３】  しかしながら、かかる従来の側溝用ブロックは、ブロック本体の長手方向の両接続端面ともほぼ全体が一様な平面となされているために、接続端面間にパッキン材を挟圧して相連通する水路間の漏水防止を確実にすべくボルトを締め付けると、接続端面が近接してその端面相互間がパッキン材の上側及び下側共に一様な隙間を形成し、パッキン材による水路内の流水に対する漏水防止は図れるものの、適宜間隔を保持すべき上記流入用隙間が必要以上に小さくなりすぎてしまい、ブロック上面から雨水等、表面水とともに流入用隙間に流入する異物、特に砂塵が速やかに落下せず、砂分が流入用隙間に詰まりやすくなり、その結果、塵芥も抵抗を受けて停滞し、延いてはブロック連結部における排水機能が低下するといった問題点があった。
本発明はかかる従来の問題点に鑑みてなされたものであって、ブロックの上面を流れる雨水等、表面水に対し、ブロック連結部における排水性を向上させた水路用ブロックを提供することを課題としている。
【課題を解決するための手段】
【０００４】  上記課題を解決するため、本発明の水路用ブロックは、内部に長手方向にわたる水路３を有するブロック本体２の長手方向の一接続端面５に、パッキン材７が水路３の上部又は上部の一部を除く周囲を囲んで配されるとともに、その両方の端部７ａが外方に湾曲又は屈曲されてブロック本体２の両側壁４上部に夫々延設され、該一接続端面５にあって水路３の上部及び側壁４に延設せる少なくとも一方のパッキン材７の湾曲又は屈曲部７ｂ乃至端部７ａより上側、及び／又は他側接続端面５′にあって水路３の上部及び側壁４に延設せる少なくとも一方のパッキン材７の湾曲又は屈曲部７ｂ乃至端部７ａに相応する部分より上側に位置する接続端面５ａが、その残余の接続端面５ｂから凹陥した凹陥面６となされたことを特徴とするものである。【０００５】  又、本発明の水路用ブロックは、上記水路用ブロックにおいて、一端がブロック本体２の側壁４近傍に位置して他端が水路３に連通する誘導溝８が、一接続端面５に少なくとも一方のパッキン材７の湾曲又は屈曲部７ｂ乃至端部７ａより上側で該パッキン材７にほぼ沿って、及び／又は他側接続端面５′に少なくとも一方のパッキン材７の湾曲又は屈曲部７ｂ乃至端部７ａに相応する部分より上側で該相応部にほぼ沿って、水路３側に向け斜降状に設けられた構成を採用することができる。【０００６】  又、本発明の水路用ブロックは、内部に長手方向にわたる水路３を有するブロック本体２の長手方向の一接続端面５に、パッキン材７が水路３の上部又は上部の一部を除く周囲を囲んで配されるとともに、その両方の端部７ａが外方に湾曲又は屈曲されてブロック本体２の両側壁４上部に夫々延設され、該一接続端面５にあって水路３の上部及び側壁４に延設せる少なくとも一方のパッキン材７の湾曲又は屈曲部７ｂ乃至端部７ａより所定間隔をあけて上側、及び／又は他側接続端面５′にあって水路３の上部及び側壁４に延設せる少なくとも一方のパッキン材７の湾曲又は屈曲部７ｂ乃至端部７ａに相応する部分より所定間隔をあけて上側に位置する接続端面５ａが、その残余の接続端面５ｂから凹陥した凹陥面６となされ、一端がブロック本体２の側壁４近傍に位置して他端が水路３に連通する誘導溝８が、一接続端面５に少なくとも一方のパッキン材７の湾曲又は屈曲部７ｂ乃至端部７ａより上記所定間隔をあけた上側で該パッキン材７にほぼ沿って、及び／又は他側接続端面５′に少なくとも一方のパッキン材７の湾曲又は屈曲部７ｂ乃至端部７ａに相応する部分より上記所定間隔をあけた上側で該相応部にほぼ沿って、水路３側に向け斜降状に設けられたものである。
【発明の効果】
【０００７】  本発明の水路用ブロックは、ブロック本体の一接続端面にあって水路の上部及び側壁に延設せる少なくとも一方のパッキン材の湾曲又は屈曲部乃至端部より上側、及び／又は他側接続端面にあって水路の上部及び側壁に延設せる少なくとも一方のパッキン材の湾曲又は屈曲部乃至端部に相応する部分より上側に位置する接続端面が、その残余の接続端面から凹陥した凹陥面となされているため、長手方向に隣接する他の水路用ブロックとの連結に際し、接続端面間にパッキン材を挟圧して相連通する水路間の漏水防止を確実にすべくボルト連結しても、凹陥面をなす接続端面とこれに対向する接続端面が適宜間隔を有して必要以上に近接することなく、該接続端面間にあって適切な流入用隙間を容易に確保することができる。従って、ブロック連結部にあってその上面から雨水等、表面水とともに上記流入用隙間に流入する異物、特に砂塵が容易に通過、落下して流入用隙間が詰まりにくく、ブロック本体上面の表面水に対するブロック連結部での排水機能を良好な状態で維持でき、従来に比し排水性を向上させることができる。【０００８】  又、本発明の水路用ブロックは、一端がブロック本体の側壁近傍に位置して他端が水路に連通する誘導溝が、一接続端面に少なくとも一方のパッキン材の湾曲又は屈曲部乃至端部より上側で該パッキン材にほぼ沿って、及び／又は他側接続端面に少なくとも一方のパッキン材の湾曲又は屈曲部乃至端部に相応する部分より上側で該相応部にほぼ沿って、水路側に向け斜降状に設けられているため、長手方向に隣接する他の水路用ブロックとの連結によって相互の接続端面間に形成された上記適切な流入用隙間にあって、誘導溝の存在によって流入用隙間の一部がその内部（ブロック本体の上面に表出しない箇所）で広げられ、表面水とともに流入用隙間に流入した砂塵、特に粒径が比較的大きい砂分が誘導溝に沿ってスムーズに通過し、その結果、塵芥も抵抗を受けずに滞留することなく速やかに流動するとともに、夫々誘導溝から的確に水路へ落下することで、流入用隙間を更に詰まりにくくすることができる。
更に、誘導溝は、弾性を有する合成ゴム、合成樹脂等から形成され、砂塵の接触に対してその滑動を比較的阻害し易い（摩擦抵抗が大きい）パッキン材の上側で流入用隙間幅を広げて上記摩擦損失を補うことにより、パッキン材上における砂塵の滑動、流動を促進せしめて表面水とともに水路内に速やかに導くことができる。【０００９】  又、本発明の水路用ブロックは、ブロック本体の一接続端面にあって水路の上部及び側壁に延設せる少なくとも一方のパッキン材の湾曲又は屈曲部乃至端部より所定間隔をあけて上側、及び／又は他側接続端面にあって水路の上部及び側壁に延設せる少なくとも一方のパッキン材の湾曲又は屈曲部乃至端部に相応する部分より所定間隔をあけて上側に位置する接続端面が、その残余の接続端面から凹陥した凹陥面となされているため、上記と同様に、他の水路用ブロックとの連結に際し接続端面間に適切な流入用隙間を容易に確保でき、ブロック本体上面の表面水に対するブロック連結部での排水性を向上させることができる。
又、一端がブロック本体の側壁近傍に位置して他端が水路に連通する誘導溝が、一接続端面に少なくとも一方のパッキン材の湾曲又は屈曲部乃至端部より上記所定間隔をあけた上側で該パッキン材にほぼ沿って、及び／又は他側接続端面に少なくとも一方のパッキン材の湾曲又は屈曲部乃至端部に相応する部分より上記所定間隔をあけた上側で該相応部にほぼ沿って、水路側に向け斜降状に設けられているため、上記と同様に、誘導溝の存在によって流入用隙間の一部がその内部で広げられ、表面水とともに流入用隙間に流入した砂塵等が一層速やかに誘導溝に沿って導かれ水路へ落下することで、流入用隙間を詰まりにくくすることができる。更に、誘導溝がパッキン材の所定間隔をあけた上側に存在することで、表面水とともに流入用隙間に流入した砂塵等の内、粒径が比較的大きい砂分がパッキン材（上記の如く摩擦抵抗が大きい）上にほとんど接触することなく誘導溝に沿ってその内部をスムーズに通過するとともに、これに追随して塵芥も速やかに流動し、流入用隙間を更に詰まりにくくしてその排水性を良好な状態に保つことができる。
【発明を実施するための最良の形態】
【００１０】  以下、図面を参照しながら本発明の実施の形態について説明する。
図１（イ）乃至（ハ）は本発明の水路用ブロックの一実施の形態を示し、１は本実施形態の水路用ブロックであって、横長状で主としてコンクリート製のブロック本体２の内部に長手方向にわたって断面円形状の水路３が貫設され、ブロック本体２の上面１０がその長手方向とほぼ直交する幅方向両端部からほぼ中央部に向け斜降状の傾斜面となされている。
又、図１（イ）に示すように、ブロック本体２の長手方向の一接続端面５に、パッキン材７が水路３の上部を除く周囲を囲んで配されるとともに、その両方の端部７ａが水路３側に斜降状をなすべく外方に湾曲されてブロック本体２の両側壁４上部に夫々延設されている。
更に、このパッキン材７を有する接続端面５にあって、水路３の上部及びパッキン材７の湾曲又は屈曲部７ｂ乃至両端部７ａより上側に位置する接続端面５ａが、その残余の接続端面５ｂから凹陥した凹陥面６となされている。具体的には、図１（イ）、（ハ）及び図２（イ）、（ロ）に示すように、一接続端面５にあって、水路３の上部、即ち、パッキン材７の両端部７ａから湾曲又は屈曲部７ｂの上縁にほぼ沿うとともに、湾曲又は屈曲部７ｂから水路３側へ斜降状をなして円滑に延長され、水路３に至る線及び該両側の斜降線に挟まれた水路３の上縁より上側が凹陥面６（接続端面５ａ）となされて上面１０に至っている。【００１１】  又、ブロック本体２の両接続端面５，５′には、その斜め対角線上の位置にボルト孔１２が離隔して穿設され、隣接する他の水路用ブロック１とのボルト連結用となされている。
尚、本実施形態ではブロック本体２のパッキン材７を有する一接続端面５に凹陥面６（接続端面５ａ）が設けられているが、パッキン材７を有しない他側接続端面５′にあって、水路３の上部及びパッキン材７の湾曲又は屈曲部７ｂ乃至両端部７ａに相応する部分より上側に位置する接続端面５ａが、その残余の接続端面５ｂから凹陥した凹陥面６となされてもよい（ブロック連結時を示す図３（ハ）参照）し、或いは両接続端面５，５′に上記凹陥面６（接続端面５ａ）が設けられてもよく（ブロック連結時を示す図３（ニ）参照）、この点は後述の実施形態においても同様である。
尚又、上記パッキン材７は接続端面５に直付けされてもよいが、図２（イ）及び（ロ）に示すように、パッキン材７を上記のように配すべくパッキン材７の添着形状に添う取付用浅溝１４が接続端面５に凹設されていると、パッキン材７のずれ防止、取付容易性、水密性等が図れて好ましい。【００１２】  本実施形態の水路用ブロック１は、図３（イ）及び（ロ）に示すように、長手方向に隣接する他の水路用ブロック１との連結に際し、そのパッキン材７を有する一接続端面５とこれを有しない他側接続端面５′とを突き合わせ接続端面５，５′間に上記パッキン材７を挟着するとともに、相連通するボルト孔１２にボルト１３を挿通しナットと螺合して連結することにより、接続端面５，５′間でパッキン材７が挟圧されて相連通する水路３間の漏水防止が図られ、しかもパッキン材７の介在によって接続端面５，５′間においてパッキン材７の上側に流入用隙間９が形成される。
詳しくは、ブロック連結時には図３（ロ）に示すように、一接続端面５における接続端面５ｂとこれに対向する他側接続端面５′間でパッキン材７が挟圧されることで接続端面５ｂ，５′間、即ち、水路３間の漏水防止が図られるとともに、一接続端面５における凹陥面６をなす接続端面５ａとこれに対向する他側接続端面５′間に適切な隙間を確保して流入用隙間９が形成される。【００１３】  又、上述したように凹陥面６（接続端面５ａ）が一接続端面５ではなく他側接続端面５′に設けられる場合には、図３（ハ）に示すように、凹陥面６（接続端面５ａ）とこれに対向する一接続端面５間に適切な隙間を確保して流入用隙間９が形成され、凹陥面６（接続端面５ａ）が両接続端面５，５′に設けられる場合には、図３（ニ）に示すように、相対向する凹陥面６（接続端面５ａ）間に適切な隙間を確保して流入用隙間９が形成される。
尚、上記流入用隙間９の寸法は特に限定しないが、小さすぎると土砂、ゴミ等異物、特に砂塵が詰まりやすく、又、反対に大きすぎると車いすのキャスター、白杖の先端、ハイヒール等が嵌まる等して支障をきたすことから、数ｍｍ〜１０ｍｍ程度となされるのが好ましい。【００１４】  しかして、上記水路用ブロック１を通常舗装や排水性舗装道路の側端部の地表部に埋設施工した際、ブロック連結部毎にブロック本体２の上面１０に表出する上記流入用隙間９から、上面１０上に集積されてその長手方向に流下する表面水が、水路３に直接落下、流入し、或いは、パッキン材７に導かれて水路３内へ排水され、又、排水性舗装道路の場合には、更に道路舗装の不透水層の上側に滞留して滞留した表面水が、道路舗装の排水機能層に臨むブロック本体２の側壁４に現出した上記流入用隙間９からパッキン材７に沿って水路３内に導かれて排水される。このとき、上記流入用隙間９として適切な隙間が確保されていることから、表面水とともに流入用隙間９に流入した砂塵等も該所で詰まることなく速やかに水路３に落下、流入させることができる。【００１５】  図４（イ）乃至（ハ）は本発明の水路用ブロックの他実施の形態を示し、本実施形態の水路用ブロック１は、上記図１に示す水路用ブロックとほぼ同様のブロックにおいて、更にそのブロック本体２の一接続端面５に、一端がブロック本体２の側壁４近傍に位置して他端が水路３に連通する誘導溝８が、パッキン材７の湾曲又は屈曲部７ｂ乃至両端部７ａより上側で、該パッキン材７の縁形状にほぼ沿うとともに、湾曲又は屈曲部７ｂから水路３側に向け斜降状をなすことで略へ字状に屈折して設けられてなる。
詳しくは、図５（イ）及び（ロ）に示すように、上記凹陥面６となされた接続端面５ａに、該接続端面５ａから更に溝状に凹陥された誘導溝８が設けられている。又、該誘導溝８はパッキン材７とほぼ同様な幅を有する断面凹状の浅溝となされているが、これに限定されず、適宜な幅や断面形状の溝となされてもよい。
尚、図５（イ）及び（ハ）に示すように、上記誘導溝８の側壁４側末端は、パッキン材７の端部７ａ上でブロック本体２の側壁４に沿い凹陥面６から筋状に隆起する接続端面５ｂによってその開口が閉塞され、コンクリート、モルタル、土砂等、流動材料がブロック本体２の側壁４に臨む場合に、かかる流動材料が誘導溝８や凹陥面６へ侵入するのを阻止するようになされているが、ブロック本体２の側壁４が道路舗装の排水機能層に臨む際は、図５（ニ）に示すように、上記筋状の接続端面５ｂを設けずして、誘導溝８及び凹陥面６をブロック本体２の側壁４まで至らせて排水機能層に対する排水作用を具備させればよい。【００１６】  本実施形態の水路用ブロック１も、上記図１の水路用ブロックと同様に、長手方向に連結することによって、例えば図６（イ）に示すように、相隣る接続端面５，５′間に適切な隙間を確保した流入用隙間９が形成されると同時に、誘導溝８の存在によって流入用隙間９にその内部の一部が広げられた空間（凹陥面６による隙間＋誘導溝８の凹状）を有することとなる。
従って、上記と同様に道路等に設置されると、表面水とともに流入用隙間９に流入した砂塵等が、流入用隙間９で内部空間を形成する誘導溝８に沿い、詳しくは、粒径が比較的大きい砂分が誘導溝８に沿ってその内部をスムーズに通過し、その結果、麈芥も抵抗を受けずに滞留することなく追随して流動するとともに、夫々誘導溝８からより一層速やかに水路３に導かれて落下することで、流入用隙間９全体を更に詰まりにくくすることができる。
又、上記誘導溝８は、弾性を有する合成ゴム、合成樹脂等から形成され、砂麈等の接触に対してその滑動を比較的阻害し易い（摩擦抵抗が大きい）パッキン材７の上側において流入用隙間９の間隔を広げ空間を形成して上記摩擦損失を減少させることにより、パッキン材７上における砂塵等の滑動、流動を促進せしめて表面水とともに水路３内に速やかに導くことができる。【００１７】  本実施形態では上記誘導溝８は、ブロック本体２のパッキン材７を有する一接続端面５に設けられているが、他側接続端面５′にパッキン材７の湾曲又は屈曲部７ｂ乃至両端部７ａに相応する部分より上側で、パッキン材７に相応する部分にほぼ沿って水路３側に向け斜降状に設けられ、ブロック連結時に隣接する接続端面５，５′間で誘導溝８が凹陥面６（接続端面５ａ）と対向するようになされてもよい（図６（ロ）参照）。又、誘導溝８が両方の接続端面５，５′に設けられ、ブロック連結時に隣接する接続端面５，５′間で夫々の誘導溝８が対向されてその流水断面が倍増されてもよい（図６（ハ）参照）。更に、両方の接続端面５，５′に夫々凹陥面６（接続端面５ａ）及び誘導溝８が設けられ、隣接する接続端面５，５′間で凹陥面６（接続端面５ａ）どうし、誘導溝８どうしが夫々対向するようになされてもよい。【００１８】  図７（イ）乃至（ハ）は本発明の水路用ブロックの他実施の形態を示し、本実施形態の水路用ブロック１は、上記図４の水路用ブロックの変形例であって、主として、ブロック本体２の上面１０が長手方向と直交して幅一方向にわたる傾斜面となされた点で該ブロックと異なる他、一接続端面５にあって水路３の上部及び側壁４に延設せるパッキン材７の湾曲又は屈曲部７ｂ乃至端部７ａより所定間隔をあけて上側に位置する接続端面５ａが、その残余の接続端面５ｂから凹陥した凹陥面６となされ、一接続端面５の誘導溝８が、上記湾曲又は屈曲部７ｂ乃至端部７ａより上記所定間隔をあけた上側でパッキン材７にほぼ沿って水路３側に向け斜降状に設けられた点で図４の水路用ブロックと異なり、その他は該ブロックとほぼ同様のものである。【００１９】  上記凹陥面６について、具体的には、図７（イ）及び（ハ）に示すように、一接続端面５にあって、水路３の上部、即ち、パッキン材７の湾曲又は屈曲部７ｂ乃至両端部７ａ上縁から所定間隔をあけた上側でパッキン材７の上縁にほぼ沿うとともに、湾曲又は屈曲部７ｂから水路３側へ斜降状をなして円滑に延長され、水路３に至る線及び両側の斜降線に挟まれた水路３の上縁より上側が凹陥面６（接続端面５ａ）となされて上面１０に至っている。
又、上記誘導溝８は、図７（イ）、（ハ）、図８（イ）、（ロ）及び図９（イ）、（ロ）に示すように、パッキン材７の湾曲又は屈曲部７ｂ乃至両端部７ａ上縁より所定間隔をあけた上側位置で、凹陥面６から更に凹陥されるとともに凹陥面６と接続端面５ｂとの境界線にほぼ沿って設けられ、パッキン材７の湾曲又は屈曲部７ｂ乃至端部７ａと誘導溝８との間が凹陥面６（接続端面５ａ）ではなく接続端面５ｂとなされた点で上記図４の水路用ブロックと異なる。
尚、図８（イ）及び（ロ）に示す如く、ブロック本体２の幅方向で上面１０が高い側（側壁４が道路舗装の排水機能層に臨む側）にあっては、上記誘導溝８及び凹陥面６をブロック本体２の側壁４まで至らせて排水機能層に対して排水作用を奏すべくなされ、又、図９（イ）及び（ハ）に示す如く、ブロック本体２の幅方向で上面１０が低い側にあっては、上記誘導溝８の側壁４側末端は、上記と同様にパッキン材７の端部７ａ上側にブロック本体２の側壁４に沿い凹陥面６から筋状に隆起する接続端面５ｂによってその開口が閉塞され、上記流動材料が側壁４に臨む場合に流動材料の誘導溝８や凹陥面６への侵入阻止が図られている。【００２０】  本実施形態の水路用ブロック１も、上記図４の水路用ブロックと同様に、長手方向に連結することによって、例えば図１０（イ）に示すように、相隣る接続端面５，５′間に適切な隙間を確保した流入用隙間９が形成されると同時に、誘導溝８の存在によって流入用隙間９にその内部の一部が広げられた空間（凹陥面６による隙間＋誘導溝８の凹状）を、パッキン材７の上縁から所定間隔をあけた上側に有することとなる。
従って、上記と同様に道路等に設置されると、上記図４の水路用ブロックの場合と同様に、表面水とともに流入用隙間９に流入した砂塵等を流入用隙間９で内部空間を形成する誘導溝８に沿って速やかに水路へ落下させることができ、流入用隙間９を詰まりにくくできる利点がある。特に、誘導溝８がパッキン材７の上縁から所定間隔をあけた上側に存在することで、表面水とともに流入用隙間９に流入した砂塵等の内、粒径が比較的大きい砂分がパッキン材７（上記の如く摩擦抵抗が大きい）上にほとんど接触することなく誘導溝８に沿ってその内部をスムーズに通過し、これに追随して塵芥も速やかに流動し、流入用隙間９を更に詰まりにくくしてその排水性を良好な状態に保つことができる。【００２１】  又、本実施形態では誘導溝８は、パッキン材７を有する一接続端面５に設けられているが、これに限定されず、他側接続端面５′にパッキン材７の湾曲又は屈曲部７ｂ乃至両端部７ａに相応する部分より所定間隔をあけた上側で、パッキン材７に相応する部分にほぼ沿って水路３側に向け斜降状に設けられ、ブロック連結時に隣接する接続端面５，５′間で誘導溝８が凹陥面６（接続端面５ａ）と対向するようになされてもよい（図１０（ロ）参照）。又、誘導溝８が両方の接続端面５，５′に設けられ、ブロック連結時に隣接する接続端面５，５′間で夫々の誘導溝８が（パッキン材７の上縁から所定間隔をあけた上側で）対向されてその流水断面が倍増されてもよい（図１０（ハ）参照）。更に、両方の接続端面５，５′に夫々凹陥面６（接続端面５ａ）及び誘導溝８が設けられ、隣接する接続端面５，５′間で凹陥面６（接続端面５ａ）どうし、誘導溝８どうしが夫々対向するようになされてもよい。
尚、本実施形態においても、上述した如く凹陥面６はパッキン材７を有する一接続端面５に限らずパッキン材７を有しない他側接続端面５′に形成されてもよく、この場合には水路３上部及びパッキン材７の湾曲又は屈曲部７ｂ乃至端部７ａに相応する部分より所定間隔をあけて上側に位置する接続端面５ａが、その残余の接続端面５ｂから凹陥して形成されればよく、例えて、図１０（ニ）に示す如く凹陥面６（接続端面５ａ）及び誘導溝８を他側接続端面５′にのみ設け、上面１０の対向縁部を面取りして流入用隙間９への表面水の流入を促進せしめてもよい。【００２２】  尚又、本発明の水路用ブロック１は上記各実施形態のものに限定されず、本発明の意図する範囲内で種々の設計変更が可能である。
即ち、ブロック本体２は上記形状のものに限定されず、例えば図１１（イ）に示すように、上記図１の水路用ブロックの一接続端面５及び／又は他側接続端面５′に、上面１０から水路３に至る切欠状の排水孔１１が設けられる他、その幅方向両端部からほぼ中央部に向け斜降状の傾斜面となされた上面１０のほぼ中央（最低部）付近に水路３に連通するスリット状等の排水孔がブロック本体２の長手方向に適宜間隔をあけて複数個設けられたり、図１１（ロ）に示すように、幅方向両側から内側に向け斜降状の傾斜面となされた上面１０の最低部が、その幅方向一端寄りに片寄って位置され、該一端寄りの傾斜面を上面１０から少許隆起させて縁石部を形成する他、上記上面１０の最低部付近に水路３に連通するスリット状等の排水孔が穿設されたり、又、図１１（ハ）及び（ニ）に示すように、その上面１０が長手方向と直交して幅一方向にわたる傾斜面となされた暗渠型になされる他、該傾斜上面１０の低端部付近に水路３に連通するスリット状等の排水孔が穿設されてもよい。或いは、図１１（ホ）、（ヘ）に示すように、上面１０と水路３を連通する狭幅の開口部１５がその上部に設けられた開渠型となされる他、かかる開口部１５の上縁に集水蓋が嵌合されたり、或いは又、図１１（ヘ）に示すものは、開口部１５を挟んだ片側に、又、図１１（ト）及び（チ）に示すものは、上面１０の幅方向一端寄りに夫々縁石部が突設され、該各縁石部の上側縁や立上り部内側縁に沿ってパッキン材７が設けられるとともに、他側で外方に湾曲するパッキン材７上にかけて凹陥面６や誘導溝８が設けられる他、上面に集水蓋が設けられる矩形状開口部を有するもの、側壁４から水路３に連通する排水孔が適宜に穿設され排水性舗装道路に供するもの等、その他適宜断面形状で適宜長さを有するものであればよい。
ブロック本体２の内部の水路３の断面形状も、上記実施形態に示す如き円形状に限定されず、例えば図１２（イ）に示す如き上面１０が水平でブロック本体２の断面形状を矩形箱型となす方形状の他、縦長だ円形状、卵形状、縦長円形状、欠円形状、多角形状等、適宜形状となされてもよい。【００２３】  又、ブロック本体２の接続端面５に設けられたパッキン材７についても、水路３の上部又は上部の一部を除く周囲を囲んでその両端部７ａが外方に湾曲又は屈曲されてブロック本体２の両側壁４上部に延設されればよく、水路３の流水断面形状及び上面１０の形状に合わせて適宜形状に配されればよい。又、パッキン材７の端部７ａの先端も側壁４の付近に位置するべく延設されていれば側壁４と合致してもよいし、側壁４から突出又は控えていてもよい。
又、一接続端面５及び／又は他側接続端面５′に設けられた誘導溝８も、凹形状、Ｕ形状等適宜流水断面形状を有し、パッキン材７の一端部７ａ又は両端部７ａ（又はこれらに相応する部分）の上側や所定間隔をあけた上側に設けられてもよいし、或いは又、例えば図１２（ロ）に示すように、パッキン材７の両端部７ａ上側に設けられた誘導溝８に加え、これらに連通する誘導連結溝１６が接続端面５に水路３の上縁等に位置して設けられてもよく、この場合には誘導連結溝１６によっても更に流入用隙間９の内部の一部が広げられ、表面水、砂塵等の水路３への流入、落下効率が一層高められる。
又、上記誘導溝８は、図１１（ロ）、（ニ）、（ヘ）、（チ）及び図１２（イ）、（ロ）の場合は、パッキン材７の湾曲又は屈曲部７ｂ乃至端部７ａの直ぐ上側の凹陥面６に設けられているが、図１２（ハ）及び（ニ）に示す如く、上記湾曲又は屈曲部７ｂ乃至端部７ａから所定間隔をあけた上側の凹陥面６に設けられてもよく、この場合にはパッキン材７と誘導溝８との間が凹陥面６（接続端面５ａ）ではなく接続端面５ｂとなされる。尚、図１２（ハ）に示すものは上記図１１（ロ）に示すものと、図１２（ニ）に示すものは上記図１１（チ）に示すものと、夫々そのブロック本体２の形状がほぼ同様で、接続端面５にパッキン材７及び誘導溝８がほぼ同様に配設されている。【００２４】  尚又、凹陥面６（接続端面５ａ）は、ブロック連結時の接続端面５，５′間において水路３の上側及びパッキン材７の上側に形成される流入用隙間９に臨む面であって、その残余の接続端面５ｂとの境界は必ずしも上記実施形態に示すものに限定されず、例えば図１１（ハ）、（ト）及び（チ）に示すように、パッキン材７の内周縁又はブロック本体２の上面１０と水路３の任意箇所を結ぶ線や、図１２（ニ）に示すように、パッキン材７の湾曲又は屈曲部７ｂ乃至端部７ａ上縁から所定間隔をあけた上側でパッキン材７の縁形状に沿う線やブロック本体２の上面１０と水路３の任意箇所を結ぶ線によって適宜設定可能である。又、凹陥面６（接続端面５ａ）は接続端面５ｂから凹陥した一様な平面となされればよいが、該凹陥面６（接続端面５ａ）の水路３側の一部が更に段状に凹陥され、図１１（ホ）に示す如き凹陥面６′が追設されることで流入用隙間９の奥部が広げられ、表面水とともに流入用隙間９に流入した砂塵等が更に速やかに流下しやすい空間が形成されるようになされてもよい。
【図面の簡単な説明】
【００２５】
【図１】  本発明の水路用ブロックの一実施の形態を示し、（イ）は側面図、（ロ）は一部省略正面図、（ハ）は（ロ）のＡ−Ａ断面図。
【図２】  （イ）は図１の水路用ブロックの一部拡大側面図、（ロ）は（イ）のＢ−Ｂ端面図。
【図３】  （イ）は図１の水路用ブロックの連結状態を示す一部正面図、（ロ）は（イ）のＣ部拡大図、（ハ）及び（ニ）は夫々変形例におけるブロック連結状態を示す一部正面図。
【図４】  本発明の水路用ブロックの他実施の形態を示し、（イ）は側面図、（ロ）は一部省略正面図、（ハ）は（ロ）のＤ−Ｄ断面図。
【図５】  （イ）は図４の水路用ブロックの一部拡大側面図、（ロ）は（イ）及び（ニ）のＥ−Ｅ端面図、（ハ）は（イ）のＦ−Ｆ端面図、（ニ）は他の水路用ブロックの一部拡大側面図。
【図６】  （イ）は図４の水路用ブロックの連結状態を示す一部端面図、（ロ）及び（ハ）は夫々変形例におけるブロックの連結状態を示す一部端面図。
【図７】  本発明の水路用ブロックの他実施の形態を示し、（イ）は側面図、（ロ）は一部省略正面図、（ハ）は（ロ）のＧ−Ｇ断面図。
【図８】  （イ）は図７の水路用ブロックの一部拡大側面図、（ロ）は（イ）のＨ−Ｈ端面図。
【図９】  （イ）は図７の水路用ブロックの一部拡大側面図、（ロ）は（イ）のＪ−Ｊ端面図、（ハ）は（イ）のＫ−Ｋ端面図。
【図１０】  （イ）は図７の水路用ブロックの連結状態を示す一部端面図、（ロ）乃至（ニ）は夫々変形例におけるブロックの連結状態を示す一部端面図。
【図１１】  （イ）乃至（チ）は夫々本発明の水路用ブロックの他実施の形態を示す側面図。
【図１２】  （イ）乃至（ニ）は夫々本発明の水路用ブロックの他実施の形態を示す側面図。
【符号の説明】
【００２６】  １  水路用ブロック
２  ブロック本体
３  水路
４  側壁
５，５′，５ａ，５ｂ  接続端面
６，６′  凹陥面
７  パッキン材
７ａ  端部
７ｂ  湾曲又は屈曲部
８  誘導溝
９  流入用隙間
【図１】
2008163705.tif 000003
【図２】
2008163705.tif 000004
【図３】
2008163705.tif 000005
【図４】
2008163705.tif 000006
【図５】
2008163705.tif 000007
【図６】
2008163705.tif 000008
【図７】
2008163705.tif 000009
【図８】
2008163705.tif 000010
【図９】
2008163705.tif 000011
【図１０】
2008163705.tif 000012
【図１１】
2008163705.tif 000013
【図１２】
2008163705.tif 000014